(57)【要約】【課題】自然界に存在する天敵虫を捕集し、捕集した天敵虫を植物栽培用のビニールハウス等の施設内に放ち、農薬を用いずに害虫を除去する天敵虫用捕虫機を提供する。【解決手段】背負式あるいは台車搭載の送風発生手段１１と、該送風発生手段１１に連結される送風管１２と、該送風管１２の送風口と対向した開口１４ａを備えた袋状の捕虫網１４を備え、該捕虫網１４は、開口１４ａに捕集する虫が通過可能なゴミ除去用のネット１６を取り付けていると共に、袋部の奥端に捕虫収容用の容器１８を着脱自在に取り付けており、前記送風により捕虫網１４内に害虫の天敵となる虫（天敵虫Ｍ）を追い込むと共に更に容器１８内に集め、捕虫終了後に容器１８を袋部から分離して容器１８内の天敵虫Ｍを取り出せる構成としている。【選択図】図１
2007189988.tif 000002
【特許請求の範囲】
【請求項１】
背負式あるいは台車搭載の送風発生手段と、
前記送風発生手段に連結される送風管と、
前記送風管の送風口と対向した開口を備えた袋状の捕虫網を備え、
前記捕虫網は、前記開口に捕集する虫が通過可能なゴミ除去用のネットを取り付けていると共に、袋部の奥端に捕虫収容用の容器を着脱自在に取り付けており、
前記送風により捕虫網内に害虫の天敵となる虫（天敵虫）を追い込むと共に更に容器内に集め、捕虫終了後に前記容器を袋部から分離して容器内の天敵虫を取り出せる構成としていることを特徴とする天敵虫用捕虫機。
【請求項２】
前記捕虫網の開口を囲むフレームを前記送風管の中間部で支持すると共に、該フレームに前記捕虫網の先端縁および前記ネットの周縁を取り付けている一方、
前記送風管の先端に前記開口に向いた噴射ノズルを取り付けると共に、植物接触棒を捕虫網側に向けて突出させ、
前記植物接触棒を植物に接触させて、該植物に付いている前記天敵虫を飛び立たせた状態で、前記送風口からの送風で捕虫網内で捕獲する構成としている請求項１に記載の天敵虫用捕虫機。
【請求項３】
前記送風管の先端に前記捕虫網の開口に向いた噴射ノズルを取り付けており、植物に近接する位置で前記噴射ノズルから送風を植物に当てて植物に付いた前記天敵虫を吹き飛ばし、前記捕虫網内で捕獲する構成としている請求項１または請求項２に記載の天敵虫用捕虫機。
【請求項４】
前記捕虫網の開口と対向配置する送風管に左右幅方向に突出する取付材を設け、該取付材の端部から一対の前記植物接触棒を突出させ、その他端を前記捕虫網の開口フレームの下枠部の幅方向両側と連結している請求項２または請求項３に記載の天敵虫捕虫機。
【発明の詳細な説明】
【技術分野】
【０００１】
本発明は、天敵虫用捕虫機に関し、詳しくは、野菜、茶、花等の果葉類に付着する害虫を天敵となる虫を活用して減農薬栽培を行うため、該天敵となる虫を効率良く捕集するものでる。
【背景技術】
【０００２】
従来、果葉類の害虫防除方法として、各種農薬からなる殺虫剤を使用されている。
しかしながら、野菜や果実の種類によっては付着する害虫に対して有効な農薬が少ない場合があると共に、マメハモグリバエ、コナガ等の薬剤抵抗性のある難防除害虫に対しては農薬による殺虫効果が低い。また、近時、消費者の安全・健康志向から残留農薬が問題となり、無農薬・減農薬栽培に対する要望が強くなってきている。
【０００３】
農薬を用いずに害虫を駆除する方法としては、特開２００１−７８６４５号公報（特許文献１）等で提供されている害虫駆除装置を用いて物理的方法により害虫を駆除したり、特開平１１−２５３０６９号公報（特許文献２）のように害虫の天敵となる虫を飼育して、飼育した天敵虫により害虫を駆除する方法がある。
【０００４】
しかしながら、特許文献１で提供されている害虫駆除装置では、作物を叩き付けて害虫を掻き入れる構成としているため作物を傷めやすい問題がある。
一方、天敵を活用した場合、例えば、ナス、シシトウ等に付着するアザミウマ類、ハダニ類及びアブラムシ類は難防除害虫であるが、これら害虫に対する有力な天敵であるヒメハナムメシ類を用いると害虫の抑制することができる。
しかしながら、特許文献２のように天敵虫を飼育する方法では、天敵虫の飼育に手間と時間がかかりコスト高になる問題がある。
【０００５】
【特許文献１】特開２００１−７８６４５号公報
【特許文献２】特開平１１−２５３０６９号公報
【発明の開示】
【発明が解決しようとする課題】
【０００６】
本発明は前記問題に鑑みてなされたものであり、作物に被害をもたらす害虫の天敵虫を飼育することによって得るのではなく、自然界に存在する天敵虫を効率良く捕集し、捕集した天敵虫を植物栽培用のビニールハウスや野菜工場等の施設内に放つことのできる天敵虫用捕虫機を提供することを課題としている。
【課題を解決するための手段】
【０００７】
前記課題を解決するため、本発明は、
背負式あるいは台車搭載の送風発生手段と、
前記送風発生手段に連結される送風管と、
前記送風管の送風口と対向した開口を備えた袋状の捕虫網を備え、
前記捕虫網は、前記開口に捕集する虫が通過可能なゴミ除去用のネットを取り付けていると共に、袋部の奥端に捕虫収容用の容器を着脱自在に取り付けており、
前記送風により捕虫網内に害虫の天敵となる虫（天敵虫）を追い込むと共に更に容器内に集め、捕虫終了後に前記容器を袋部から分離して容器内の天敵虫を取り出せる構成としていることを特徴とする天敵虫用捕虫機を提供している。
【０００８】
前記構成によれば、送風口からの送風により植物等にとまっている天敵虫を捕虫網に追い込み、捕虫網の袋部の奥端に設けた容器内に集めることができる。
このように天敵虫を捕虫網に追い込む際、捕虫網の開口に設けたゴミ除去用のネットにより雑草や捕集したい天敵虫よりも大きな虫等を塞き止めて、これら雑草や大きな虫が捕虫網内に入り込まないようにして分別している。これにより、捕集したい天敵虫よりも大きな雑草等のゴミや虫を取り除くことができ、天敵虫を効率良く集めることができる。
前記ゴミ除去用のネットの網糸の間隔は３．０〜１０．０ｍｍとして、捕集したい天敵虫が通過できるよう、天敵虫よりも大きく設定している。
【０００９】
また、捕集網は捕獲した天敵虫を逃がさないため、捕集網の網糸の間隔は天敵虫の大きさに応じて設定しているが、例えば、１．０ｍｍ以下のメッシュとしていることが好ましい。
前記構成によれば、ゴミ除去用のネットを通過して捕虫網内に入り込んだ天敵虫を捕虫網の網目から外部へ抜け出さないようにして奥端の容器内に集めることができる。
【００１０】
例えば、天敵虫としてヒメハナカメムシ類を捕集したい場合、ゴミ除去用ネットの網糸の間隔を３．０〜５．０ｍｍとして、ヒメハナカメムシ類はゴミ除去用のネットを通過させる一方、不要なカスミカメムシ等はゴミ除去用のネットで引っ掛けて捕虫網内に入れないようにしていることが好ましい。また、捕虫網の網糸の間隔は捕集する天敵虫であるヒメハナカメムシ類が通過できないよう０．７〜０．８ｍｍとしている。
【００１１】
さらに、捕虫網内に入り込んだ天敵虫よりも小さな虫等を効率良く捕虫網の外部に追い出すため、捕虫網の送風方向に直交する捕虫網の断面積を奥端側へいくにしたがって小さくしていることが好ましい。
前記構成によれば、捕虫網内に追い込まれた天敵虫の大部分が一旦捕虫網に引っ掛かった後、容器内に集められるのに対して、天敵虫よりも小さな虫やゴミは捕虫網の網目を通過させて外部へ追い出すことができる。
【００１２】
また、天敵虫を捕集する前記容器は捕虫網の袋部に対して着脱自在に取り付けているため、該容器に天敵虫を集めた後、容器を捕虫網の袋部から取り外し、容器のみを植物栽培用のビニールハウスや野菜工場等の施設内まで搬送して、該施設内で容器から天敵虫を取り出して放つことができる。
このように、天敵虫を集める容器を捕虫網の袋部に取り付け自在としているため、天敵虫の捕集作業中に容器が天敵虫で一杯になれば、該容器を空の容器と取り替えればよく、捕虫機自体を前記施設まで運んだり、捕虫網を捕虫機から取り外す必要がなく、捕集作業を効率良く行うことができる。
前記容器には天敵虫の出入口となる開口を閉鎖する蓋を着脱自在に取り付けられるようにし、容器を捕虫網の袋部から取り外した後に開口を蓋で閉鎖して捕集した天敵が逃げないようにしていることが好ましい。該蓋には天敵虫が通過できない大きさの通気用の孔を設けている。
このように、本発明の天敵虫用捕虫機で捕集した天敵虫をビニールハウスや野菜工場等の植物栽培施設内に放つことにより、該天敵虫によって作物に被害をもたらす害虫を駆除でき、農薬を用いずに無農薬野菜等の作物を生産することが可能となる。
【００１３】
前記捕虫網の開口を囲むフレームを前記送風管の中間部で支持すると共に、該フレームに前記捕虫網の先端縁および前記ネットの周縁を取り付けている一方、
前記送風管の先端に前記開口に向いた噴射ノズルを取り付けると共に、植物接触棒を捕虫網側に向けて突出させ、
前記植物接触棒を植物に接触させて、該植物に付いている前記天敵虫を飛び立たせた状態で、前記送風口からの送風で捕虫網内で捕獲する構成としていることが好ましい。
【００１４】
前記構成によれば、植物に付いている天敵虫を送風のみによって飛び立たせて捕獲するのではなく、予め植物接触棒を植物に接触させることにより植物に付いた天敵虫を飛び立たせておき、そこに送風を当てることにより容易に天敵虫を捕獲することができる。
よって、送風だけでは植物から飛び立たない天敵虫も前記植物接触棒により飛び立たせて捕獲することができ、かつ、送風だけで天敵虫を飛び立たせる場合に比べて弱い送風でも天敵虫を捕獲することができる。
【００１５】
また、前記送風管の先端に前記捕虫網の開口に向いた噴射ノズルを取り付けており、植物に近接する位置で前記噴射ノズルから送風を植物に当てて植物に付いた前記天敵虫を吹き飛ばし、前記捕虫網内で捕獲する構成としてもよい。
前記構成によれば、植物に付いた飛び立たない虫も送風により吹き飛ばして捕獲することができる。
【００１６】
前記捕虫網の開口と対向配置する送風管に左右幅方向に突出する取付材を設け、該取付材の端部から一対の前記植物接触棒を突出させ、その他端を前記捕虫網の開口フレームの下枠部の幅方向両側と連結していることが好ましい。
【００１７】
前記構成によれば、捕虫機を左右幅方向に突出させた一対の植物接触棒により支持されて安定した状態で天敵虫の捕獲作業を行うことができる。
また、取付材は植物を上方から叩き、前記天敵虫を植物から追い出すことに使え、噴射ノズルの効果と合わせて天敵虫の捕獲作業を効率良く行うことができる。
【発明の効果】
【００１８】
前述したように、本発明によれば、送風口からの送風により植物等にとまっている天敵虫を捕虫網に追い込み、捕虫網の先端に設けたゴミ除去用のネットで分別された天敵虫を捕虫網の袋部の奥端に設けた容器内に効率良く集めることができる。
また、前記容器は捕虫網の袋部に対して着脱自在に取り付けているため、該容器に天敵虫を集めた後、容器を捕虫網の袋部から取り外し、容器のみを植物栽培用のビニールハウスや野菜工場等の施設内まで搬送して、該施設内で容器から天敵虫を取り出して放つことができる。
【００１９】
さらに、本発明の捕虫機に植物接触棒を設け、該植物接触棒を予め植物に接触させることにより天敵虫を飛び立たせておき、そこに送風を当てて天敵虫を捕獲する構成とすると、より多くの天敵虫を効率良く捕獲することができる。
【発明を実施するための最良の形態】
【００２０】
本発明の実施形態を図面を参照して説明する。
図１乃至図６は、本発明の第１実施形態を示し、天敵虫用捕虫機１０は、背負式の送風発生手段１１と、該送風発生手段１１に連結された送風管１２と、該送風管１２の先端に取り付けた噴射ノズル１３からなる送風口と対向した開口１４ａを備えた袋状の捕虫網１４を備えている。
【００２１】
天敵虫捕獲用の捕虫網１４は、網糸の間隔を１．０ｍｍ以下としたメッシュからなり、対向位置に大きな開口１４ａと該開口１４ａよりも小さな開口１４ｂを設け、先端側の開口１４ａから後端側の開口１４ｂへいくにしたがって縮径した形状としている。
前記捕虫網１４の開口１４ａの周縁には、図３に示すように、開口１４ａを囲む矩形枠からなるフレーム１５を取り付けており、該フレーム１５の内周面にゴミ除去用のネット１６を取り付けて、捕虫網１４の開口１４ａにネット１６を設けている。ゴミ除去用のネット１６は、網糸の間隔を４．０ｍｍとして、天敵虫は通過できるが、天敵虫よりも大きな草等のゴミや虫は通過できない構成としている。
【００２２】
また、捕虫網１４の開口１４ｂの周縁にも、図３に示すように、開口１４ｂを囲む円環形状のフレーム１７を取り付けている。該フレーム１７には、一端開口の円筒状の捕虫収容用の容器１８を着脱自在に取り付けている。
なお、本実施形態では、容器１８の開口端側をフレーム１７に圧入により固定しているが、フレーム１７と容器１８とをロック結合やネジ締めにより着脱自在に取り付ける構成としてもよい。
【００２３】
前記捕虫網１４を取り付けたフレーム１５の上端には、図１に示すように、送風管１２の中間部に取り付けた支持片１９を連結する一方、フレーム１５の下端には、送風管１２の先端から延在させた後述の植物接触棒２１を連結して、フレーム１５を所定位置に位置決め固定している。この状態で、捕虫網１４の開口１４ａが送風管１２の送風口（噴射ノズル１３）と対向する一方、容器１８は捕虫網１４の袋部の奥端に取り付けられた状態となる。捕虫網１４の開口１４ａは送風管１２の軸線方向に対して直交させており、天敵虫用捕虫機１０を使用するときに、開口１４ａが地面に対して約６０度傾斜した状態となるように設定している。
【００２４】
前記送風管１２の先端には左右方向に取付材２０を突設し、該取付材の両端から左右一対の植物接触棒２１を突出させて捕虫網１４側へ延在させ、その他端を捕虫網１４に取り付けたフレーム１５の下枠部の幅方向両側と連結している。
また、送風管１２の後方側には、把持部２２ａを有するハンドル２２と、送風管１２の送風口からの送風量を調節するスロットル２３を設けている。
背負式の送風発生手段１１としては、原動機付きのブロア２４を用い、該ブロア２４を肩掛け保持具２５上に取り付けている。
【００２５】
次に、前記天敵虫用捕虫機１０の使用方法について説明する。
図４に示すように、作業者Ｈは送風発生手段１１を背負い、一方の手でハンドル２２の把持部２２ａを持つと共に他方の手でスロットル２３を押圧し、植物に近接する位置で噴射ノズル１３より送風を植物に当てながら天敵虫用捕虫機１０を移動させる。
【００２６】
こうすると、取付材２０および植物接触棒２１が植物に接触し、該植物に付いていた天敵虫Ｍが飛び立つ。この飛び立った天敵虫Ｍに噴射ノズル１３からの送風で、捕虫網１４内に送りこんで捕獲する。なお、天敵虫Ｍより大きな雑草等のゴミや虫は、捕虫網１４の開口１４ａに設けたゴミ除去用のネット１６に引っ掛かって捕虫網１４内に入らないようにしている。
捕虫網１４内に捕獲された天敵虫Ｍはさらに送風により奥端の容器１８まで送り込まれて収容される。
容器１８に天敵虫Ｍが溜まった後、図６に示すように、容器１８を捕虫網１４から取り外し、容器１８の開口を蓋（図示せず）で閉鎖して、該容器１８を所要の施設まで搬送する。植物栽培用のビニールハウスや野菜工場内で容器１８から蓋を取り外し、天敵虫Ｍを容器１８から取り出して施設内部に放つと、天敵虫Ｍにより植物に付いた害虫を駆除することができる。
【００２７】
前記構成によれば、送風管１２の先端に設けた送風口からの送風により植物等にとまっている天敵虫Ｍを捕虫網１４に追い込み、捕虫網１４の先端に設けたゴミ除去用のネット１６で分別された天敵虫Ｍを捕虫網１４の袋部の奥端に設けた容器１８内に集めることができる。
また、天敵虫用捕虫機１０に設けた植物接触棒２１を予め植物に接触させることにより天敵虫Ｍを飛び立たせておき、そこに送風を当てて天敵虫Ｍを捕獲しているため、より多くの天敵虫Ｍを効率良く捕獲することができる。
さらに、容器１８は捕虫網１４の袋部に対して着脱自在に取り付けているため、該容器１８に天敵虫Ｍを集めた後、容器１８を捕虫網１４の袋部から取り外し、容器１８のみを植物栽培用のビニールハウスや野菜工場等の施設内まで搬送して、該施設内で容器１８から天敵虫Ｍを取り出して放つことができる。
なお、本実施形態では送風発生手段１１を背負式としているが、図７に示すように、ブロア２４を台車２６に載置して移動させる構成としてもよい。
【００２８】
（実験例）
本発明の前記実施形態の天敵虫用捕虫機１０を用いて天敵虫のヒメハナカメムシの採集を行い、採集効率を調査した。
実験例１〜１０では、スカエボラ、バーベナからなる草種毎に存在するヒメハナカメムシの密度を事前に把握して、採集効率を調査した。その結果を表１に示す。
表１中において、「推定値」は１平方メートル当たりに存在するヒメハナカメムシの数である。「採集機での採集数」は本発明の天敵虫用補集機１０を用いて１平方メートル当たりで補集したヒメハナカメムシの数である。
【００２９】
【表１】
2007189988.tif 000003
【００３０】
表１に示すように、実施例１、２、５，６、９、１０はバーベナからなる草種でヒメハナカメムシを補集した。実施例３、４、７，８はスカエボラからなる草種で補集した。
表に示すように、草種をとわず採集効率は５〜４５％の範囲で、平均１０％程度で効率良く採集できることが確認できた。
なお、バーベナには捕獲したくないカスミカメムシが多く付いているが、天敵虫捕獲の際、カスミカメムシはゴミ除去用のネット１６に引っ掛かり１匹も捕獲されなかった。また、雑草やゴミ、蜂、大型の虫も全てゴミ除去用ネット１６に引っ掛かり捕虫網１４内に採集されなかった。
【００３１】
図８は、本発明の第２実施形態を示す。
本実施形態の天敵虫用捕虫機１０’では、捕虫網１４’を第１実施形態と相違させており、網糸の間隔を第１実施形態の捕虫網の網糸の間隔よりも大きくして、捕集したい天敵虫は通過しないが天敵虫よりも小さなゴミや虫は捕虫網１４’から外部へ追い出せるようにしている。
また、捕虫網１４’に取り付けたフレーム１５’を支持片１９’と植物接触棒２１’に着脱自在としており、捕集したい天敵虫の大きさに応じて網糸の間隔の異なった捕集網に交換できる構成としている。
【００３２】
前記構成によれば、ゴミ除去用のネット１６で捕集したい天敵虫より大きなものを排除すると共にメッシュよりも網糸の間隔を大きくした捕虫網１４’で天敵虫よりも小さなものを排除して２段階で分別作業を行うことにより、容器１８にはできる限り捕集したい天敵虫のみを集めることができる。
なお、他の構成及び作用効果は第１実施形態と同様のため、同一の符号を付して説明を省略する。
【図面の簡単な説明】
【００３３】
【図１】本発明の第１実施形態の天敵虫用捕虫機の側面図である。
【図２】天敵虫用捕虫機の平面図である。
【図３】捕虫網の斜視図である。
【図４】天敵虫用捕虫機の使用状況を示す図面である。
【図５】天敵虫用捕虫機の使用状況の要部拡大図である。
【図６】容器を捕虫網から取り外した状態を示す図面である。
【図７】第１実施形態の変形例を示す図面である。
【図８】第２実施形態の天敵虫用捕虫機の側面図である。
【符号の説明】
【００３４】
１０  天敵虫用捕虫機
１１  送風発生手段
１２  送風管
１３  噴射ノズル
１４  捕虫網
１４ａ  開口
１５  フレーム
１６  ゴミ除去用のネット
１８  捕虫収集用の容器
２０  取付材
２１  植物接触棒
【図１】
2007189988.tif 000004
【図２】
2007189988.tif 000005
【図３】
2007189988.tif 000006
【図４】
2007189988.tif 000007
【図５】
2007189988.tif 000008
【図６】
2007189988.tif 000009
【図７】
2007189988.tif 000010
【図８】
2007189988.tif 000011